(57)【特許請求の範囲】
【請求項１】
遊技動作を制御するための制御基板と、前記制御基板を格納する第１ケース及び第２ケースと、前記第２ケースの背面側を覆うように配置されると共に、遊技機に固定されるベースとを備え、前記第１ケースに設けられた封止部を、封止部材により前記ベースに設けられた封止固定片に固定するようにした遊技機の制御基板ユニットにおいて、
前記第１ケースの１対の対辺のうち一方の対辺に、前記封止部を設け、また、同じく前記１対の対辺のうち他方の対辺に、前記第２ケースに設けた第２ケース側封印シール貼着部に相対する第１ケース側封印シール貼着部を設け、
前記第１ケース側封印シール貼着部と前記第２ケース側封印シール貼着部とを前記第２ケースの背面から締結部材により互いに固定し、
前記締結部材、及び前記第１ケース側封印シール貼着部と前記第２ケース側封印シール貼着部とをそれぞれ封印するため、封印シールを、前記ベースにより遮蔽される前記第２ケース側封印シール貼着部の背面と当該背面に対向する前記ベースとの間に挟み込まれた形態で、前記第２ケース側封印シール貼着部の背面側に位置する前記締結部材の頭部、及び前記第１ケース側封印シール貼着部の表面側に位置する前記締結部材の先端部を隠蔽するように、前記第２ケース側封印シール貼着部の背面から前記第１ケース側封印シール貼着部の表面にわたってコ字状に折り曲げて、前記第１ケース側封印シール貼着部と前記第２ケース側封印シール貼着部とに貼着したことを特徴とする遊技機の制御基板ユニット。
【発明の詳細な説明】
【技術分野】
【０００１】
本発明は、遊技を制御する制御基板をケース内に格納した遊技機の制御基板ユニットに関する。
【背景技術】
【０００２】
従来、スロットマシン、パチンコ機等の遊技機の制御基板ユニットにおいては、遊技を制御するための制御基板を透明な前、後のケース内に格納すると共に、締め方向しか回せないワンウェイネジ等で構成される封止部材をもって、前、後のケースに設けた封止部を互いに固定することによって、両ケースを封止して、制御基板の不正改造を防止するようにしている（例えば、特許文献１参照）。
【０００３】
【特許文献１】特開２００４−２０２２０３号公報
【発明の開示】
【発明が解決しようとする課題】
【０００４】
しかし、上記特許文献１に記載された遊技機の制御基板ユニットにおいては、両ケースの一辺に設けた封止部をワンウェイネジにより封止しているだけであるため、両ケースの一辺に相対する他辺、すなわちワンウェイネジにより封止されていない方の他辺側を、不正に開けて制御基板が不正に改造されたり操作されたりするおそれがある。このような不正を確実に防止する対策としては、両ケースの１対の対辺に封止部を設け、両封止部を封止部材により封止することが考えられる。しかし、このようにすると、両ケースを封止するための構造が複雑になると共に、高価なワンウェイネジを多数使用しなければならず、コストの上昇を招くこととなる。
【０００５】
本発明は、上述のような課題に鑑み、簡単な構成で、ケースを不正に開けるような不正行為を確実に防止することができるようにした遊技機の制御基板ユニットを提供することを目的とする。
【課題を解決するための手段】
【０００６】
上記課題を解決するため、本発明にかかる遊技機の制御基板ユニットにおいては、遊技動作を制御するための制御基板と、前記制御基板を格納する第１ケース及び第２ケースと、前記第２ケースの背面側を覆うように配置されると共に、遊技機に固定されるベースとを備え、前記第１ケースに設けられた封止部を、封止部材により前記ベースに設けられた封止固定片に固定するようにした遊技機の制御基板ユニットにおいて、前記第１ケースの１対の対辺のうち一方の対辺に、前記封止部を設け、また、同じく前記１対の対辺のうち他方の対辺に、前記第２ケースに設けた第２ケース側封印シール貼着部に相対する第１ケース側封印シール貼着部を設け、前記第１ケース側封印シール貼着部と前記第２ケース側封印シール貼着部とを前記第２ケースの背面から締結部材により互いに固定し、前記締結部材、及び前記第１ケース側封印シール貼着部と前記第２ケース側封印シール貼着部とをそれぞれ封印するため、封印シールを、前記ベースにより遮蔽される前記第２ケース側封印シール貼着部の背面と当該背面に対向する前記ベースとの間に挟み込まれた形態で、前記第２ケース側封印シール貼着部の背面側に位置する前記締結部材の頭部、及び前記第１ケース側封印シール貼着部の表面側に位置する前記締結部材の先端部を隠蔽するように、前記第２ケース側封印シール貼着部の背面から前記第１ケース側封印シール貼着部の表面にわたってコ字状に折り曲げて、前記第１ケース側封印シール貼着部と前記第２ケース側封印シール貼着部とに貼着する。この構成により、制御基板を格納した状態の第１、２ケースの１対の対辺のうち一方の対辺が、ワンウェイネジ等で構成される封止部材によりベースに設けた封止固定片に、また、同じく１対の対辺のうち他方の対辺に設けた第１ケース側封印貼着部と第２ケース側封印シール貼着部とが互いに締結部材により固定されるため、第１ケースを第２ケースから取り外したり開けたりする等の不正行為を確実に防止することができる。また、第１ケース側封印シール貼着部と第２ケース側封印シール貼着部とを互いに固定する締結部材を取り外すことは、封印シールを剥がすかまたは封印シールに孔を開けない限り実質的に不可能である。よって、締結部材を不正に外す等の不正行為を確実に防止することができる。仮に、締結部材が外された場合には、封印シールが剥がされた痕跡または封印シールにおける締結部材の頭部及び先端部を隠蔽する部分に孔が残ることに加え、締結部材の先端部側、すなわち、第１ケース側封印シール貼着部の締結孔が不正に加工された場合であっても、封印シールにおける締結部材の先端部に対向する部分を隠蔽する部分に弄られた跡が残るため、不正行為を確実に発見することができる。さらには、高価な封止部材を数多く使用する必要性がないので、構成が簡単であり、かつコストの上昇を最小限に抑えることができる。
【発明の効果】
【００１０】
上記構成により、本発明に係わる遊技機の制御基板ユニットにおいては、第１ケースを第２ケースから取り外したり開けたりする等の不正行為を確実に防止することができ、かつ構成を簡単にしてコストの上昇を最小限に抑えることができる。
【発明を実施するための最良の形態】
【００１１】
以下、本発明の一実施形態を、図１〜図７に基づいて説明する。図１は、本発明を適用した遊技機の正面図、図２は、遊技機の裏面図、図３は、後方から見た制御基板ユニットの分解斜視図、図４は、後方から見た組み付け途中の制御基板ユニットの斜視図、図５は、斜め後方から見た制御基板ユニットの斜視図、図６、７は、要部の拡大縦断面図である。なお、以下の説明では、図１において図面手前側、図２において図面奥側を「前側または表面側」とし、図１において図面奥側、図２において図面手前側を「後側または裏面側」とし、図１において左側、図２において右側を「左方」とし、図１において右側、図２において左側を「右方」とする。
【００１２】
図１に示すように、遊技機１は、遊技施設に据え付けられる外枠２内に遊技盤３が嵌め込まれると共に、遊技盤３の後側に遊技に係わる数字や図柄等の演出情報が表示される表示装置（図示略）が配設されることによって構成され、前面右下部に設けられた操作ハンドル４を時計方向へ回転操作することによって、前面に設けられた球貯留皿５に貯留されている遊技球が発射装置（図示略）から遊技盤３の表面に設けられ、かつ多数の遊技釘が植設されたほぼ円形の遊技領域３１に打ち込まれることによって所定の遊技を行うことができる。
【００１３】
なお、本実施形態において、遊技機１をパチンコ機として説明するが、本発明においては、遊技機１を遊技媒体がメダル（コインを含む）とするスロットマシンとしても良い。
【００１４】
図２に示すように、遊技機１の裏側には、内部に遊技を統括的に制御する主制御基板６０を格納した主制御基板ユニット６と、主制御基板６０の命令に基づいて表示装置、遊技機１の裏側に設けられたスピーカ７、ランプ（図示略）等を制御する副制御基板８０を格納した副制御基板ユニット８と、主制御基板６０の命令に基づいて入賞時等の払出球数を制御する払出制御基板９０を格納した払出制御基板ユニット９等が配設されている。その他は、本発明に直接関係しないので、説明は省略する。
【００１５】
図３に示すように、主制御基板ユニット６は、多数のコネクタ６０２、集積回路６０１等を実装し、遊技を統括的に制御する前記主制御基板６０と、主制御基板６０を格納する透明合成樹脂製の第１ケース６１及び第２ケース６２と、第２ケース６２の前側（背面側）を覆うように配置されると共に、遊技盤３の裏側に固定される透明合成樹脂製のベース６３とを含む。
【００１６】
第１ケース６１は、正面視ほぼ横長の矩形をなして前面が開口する箱状をなすと共に、左右両側の１対の対辺のうち一方の右辺には、ベース６３の右辺に設けられた後述の封止固定片６３５の後面に対向する円筒状の封止部６１１が上下方向に４個並設され、また、同じく１対の対辺のうち他方の左辺の側面には、封印シール１２が貼着可能なように平坦な面を有する第１ケース側封印シール貼着部６１２が設けられている。
【００１７】
封止部６１１は、封止部材をなす締め方向しか回せないワンウェイネジ１０（図７参照）をもって、ベース６３の封止固定片６３５に固定される。第１ケース６１は、封止部６１１がベース６３の封止固定片６３５に固定されることによって、封止部６１１を切断しない限りベース６３からの分離は実質的に不可能になる。なお、各封止部６１１は、互いに工具を用いて切断可能に繋がった形態で第１ケース６１の右辺に連設されている。
【００１８】
図６に示すように、第１ケース６１における第１ケース側封印シール貼着部６１２の近傍の内側には、第１ケース側封印シール貼着部６１２を含む部分を第２ケース６２に固定するための締結部材をなすネジ１１を前方から螺合可能な締結孔６１３が設けられている。
【００１９】
第２ケース６２は、正面視で第１ケース６１とほぼ同一寸法で、かつ後面が開口する箱状をなして、第１ケース６１の後面との間に主制御基板６０を挟み込んだ状態で、前方から複数のネジ１３により第１ケース６１の前面に固定される。これにより、主制御基板６０は、第１ケース６１と第２ケース６２との間の内部空間に格納される。
【００２０】
第２ケース６２の左辺の前面には、第１ケース側封印シール貼着部６１２に相対して封印シール１２が貼着可能なように平坦な面を有する第２ケース側封印シール貼着部６２１（図６参照）が設けられている。第２ケース側封印シール貼着部６２１には、第２ケース側封印シール貼着部６２１を第１ケース側シール貼着部６１２に固定するための前記ネジ１１を挿入可能な取付孔６２２が設けられている。
【００２１】
ベース６３は、正面視で第１、２ケース６１、６２とほぼ同一寸法であって、かつ第２ケース６１の取付孔６２２を含む第２ケース６１の前面（背面）のほぼ全域を遮蔽するように固定されると共に、軸状の係合部材１６により遊技盤３の裏側に固定される。ベース６３の右辺には、第１ケース６１の各封止部６１１の前面に対向し、かつワンウェイネジ１０により封止部６１１に固定される封止固定片６３５が突設されている。
【００２２】
ベース６３の封止固定片６３５には、第１ケース６１の各封止部６１１の前面にそれぞれ対向し、かつワンウェイネジ１０の先端部が螺合可能で、かつ前方が閉鎖された封止孔６３１が上下方向に４個並設されている。
【００２３】
図７に示すように、封止固定片６３５の後面には、ステンレス製の板状のワッシャー１４と、合成樹脂製のワッシャーカバー１５が設けられる。ワッシャー１４は、各封止孔６３１にそれぞれ重合する開口を有し、開口には、開口の周縁から開口の中心に向かって突出する複数の突起が設けられている。ワッシャーカバー１５は、ワッシャー１４の各開口と重合する開口を有し、封止固定片６３５との間にワッシャー１４を挟み込むようにして封止固定片６３５の後面に固着される。第１ケース６１の封止部６１１内に挿入されるワンウェイネジ１０は、ワッシャーカバー１５及びワッシャー１４の各開口を貫通して、ベース６３の封止孔６３１に螺合する。この状態においては、ワンウェイネジ１０（最下部のワンウェイネジ１０を参照）のくびれ部１０１が、ワッシャー１４の開口に設けられた突起に対して抜け方向に係合することによって、ワンウェイネジ１０が仮に締め付け方向と反対方向へ回転させられても、ワンウェイネジ１０は、空回りするだけで、封止固定片６３５の封止孔６３１から抜けることはない。
【００２４】
次に、主制御基板ユニット６の組立て要領について説明する。先ず、図４に示すように、第１ケース６１の後面と第２ケース６２の前面との間の内部空間に主制御基板６０を格納した状態で、ネジ１１、１３により第２ケース６２を第１ケース６１の前面に固定する。そして、第１ケース側封印シール貼着部６１２と第２ケース側封印シール貼着部６２１とを封印するため、封印シール１２をＬ字状に折り曲げて、第１ケース側封印シール貼着部６１２と第２ケース側封印シール貼着部６２１とにわたり、かつ、第２ケース側封印シール貼着部６２１の取付孔６２２の前側、すなわちネジ１１の頭部を隠蔽するように貼着する（図６参照）。
【００２５】
次に、第２ケース６２の上下に突設された側面視ほぼＬ字型の各係合爪６２３を、ベース６３の上下に設けられた各切り欠き孔６３４にそれぞれ進入させた状態で、内部空間に主制御基板６０を格納した第１ケース６１及び第２ケース６２を右方へスライドさせて、第１ケース６１の封止部６１１をベース６３の封止孔６３１に対向させる。
【００２６】
上述の状態で、第１ケース６１の右辺に設けた４個の封止部６１１のうち１個の封止部６１１（本実施形態においては最下部の封止部６１１）内に仮保持されたワンウェイネジ１０を、ベース６３の封止孔６３１に螺合して第１ケース６１の封止部６１１を封止固定片６３５に固定することによって、第１ケース６１は、ベース６３との間に第２ケース６２を挟み込むようにしてベース６３に固定される。これにより、ベース６３は、封印シール１２におけるネジ１１の頭部を隠蔽する部分、及びネジ１３の頭部を隠蔽するように第２ケース６２の前面（背面）に固定されることとなる。したがって、第１、２ケース６１、６２及びベース６３をそれぞれ互いに固定した状態においては、ワンウェイネジ１０を取り外して、ベース６３を第１ケース６１から外さない限り、第１ケース６１と第２ケース６２とを分離することは実質的に不可能である。そして、最後に、ベース６３を係合部材１６により遊技盤３の裏側に固定する。
【００２７】
上述により、本実施形態においては、第１ケース６１と第２ケース６２との間の内部空間に主制御基板６０を格納した状態で、第１ケース６１の右辺に設けた封止部６１１を、ワンウェイネジ１０によりベース６３の右辺に設けた封止固定片６３５に締結固定し、また、第１ケース６１の左辺に設けた第１ケース側封印シール貼着部６１２を、ネジ１１により第２ケース６２の左辺前面に設けた第２ケース側封印シール貼着部６２１に締結固定すると共に、封印シール１２をもって、両封印シール貼着部６１２、６２１を互いに封印し、かつネジ１１の頭部を隠蔽するため、第１ケース６１を第２ケース６２から取り外したり開けたりする等の不正行為を確実に防止することができる。仮に、第１ケース側封印シール貼着部６１２と第２ケース側封印シール貼着部６２１との互いの締結が外された場合には、封印シール１２が切れた痕跡、または剥がされた痕跡が第１ケース側封印シール貼着部６１２または／及び第２ケース側封印シール貼着部６２１に残るため、不正行為を容易かつ確実に発見することができる。また、ネジ１１が外された場合には、封印シール１２が剥がされた痕跡及び封印シール１２におけるネジ１１の頭部を隠蔽する部分に孔が開けられた痕跡が残るため、不正行為を確実に発見することができる。さらには、高価なワンウェイネジ１０を数多く使用する必要性がないので、構成が簡単であり、かつコストの上昇を最小限に抑えることができる。
【００２８】
以上、本発明の実施形態について説明したが、本発明の要旨を逸脱しない範囲内で、本実施形態に対して、次のような種々の変形や変更を施すことが可能である。
（ｉ）両封印シール貼着部６１２、６２１を互いに固定するための締結部材をネジ１１に代えて、軸状の先端に係合爪を有する合成樹脂製の係合ピン等にする。さらには、締結部材をなすネジ１１または係合ピンを、第１ケース側封印シール貼着部６１２の後面から挿入して、第２ケース側封印シール貼着部６２１に別途設けた締結孔に螺合または係合する。
（ii）封止部６１１の数を適宜変更する。
（iii）第１ケース６１の封止部６１１をベース６３の封止固定片６３５に固定するための封止部材を、ワンウェイネジ１０に代えて合成樹脂製の係合ピンとする。
（iv）封止部６１１を、第１ケース６１の右辺、上辺または下片に設け、第１ケース側封印シール貼着部６１２を、それぞれに相対する左辺、下片または上辺に設ける。この場合、第２ケース側シール貼着部６２１は、第１ケース側シール貼着部６１２の位置に対応する左辺、下片または上辺に設けられ、また、封止固定片６３５は、封止部６１１の位置に対応する右辺、上辺または下片に設けられる。
（ｖ）図８に示すように、封印シール１２Ａを、ネジ１１の頭部及びその付近を隠蔽するように、第２ケース側封印シール貼着部６２１の前面のみに貼着する。なお、上記(ｉ)のように、両封印シール貼着部６１２、６２１を互いに固定するための締結部材を、第１ケース側封印シール貼着部６１２の後面から挿入して、第２側封印シール貼着部６２１に別途設けた締結孔に螺合または係合する場合は、封印シール１２Ａは、締結部材の頭部を隠蔽するように第１ケース側封印シール貼着部６１２の後面に貼着される。このようにした場合には、封印シール１２Ａを小さくすることができる。
（vi）図９に示すように、封印シール１２Ｂを、平面視コ字型に折り曲げ、第１ケース側封印シール貼着部６１２と第２ケース側封印シール貼着部６２１とにわたり、かつ、第２ケース側封印シール貼着部６２１の取付孔６２２及び第１ケース側封印シール貼着部６１２の締結孔６１３の前側、すなわちネジ１１の頭部及び先端部に対向する部分を隠蔽するように貼着する。このようにした場合には、仮に、ネジ１１が外された場合には、封印シール１２Ｂが剥がされた痕跡及び封印シール１２Ｂにおけるネジ１１の頭部を隠蔽する部分に孔が開けられた痕跡が残ることに加え、ネジ１１の先端部側、すなわち、第１ケース側封印シール貼着部６１２の締結孔６１３が不正に加工された場合であっても、封印シール１２Ｂにおけるネジ１１の先端部に対向する部分を隠蔽する部分に弄られた痕跡が残るため、不正行為をより確実に発見することができる。
（vii）本発明を、副制御基板ユニット、払出制御基板ユニットに適用する。
【図面の簡単な説明】
【００２９】
【図１】図１は、本発明を適用した遊技機の正面図である。
【図２】遊技機の裏面図である。
【図３】後側から見た制御基板ユニットの分解斜視図である。
【図４】後方から見た組み付け途中の制御基板ユニットの斜視図である。
【図５】斜め後方から見た制御基板ユニットの斜視図である。
【図６】図５におけるVI−VI線拡大断面図である。
【図７】図５におけるVII−VII線拡大断面図である。
【図８】他の実施形態における図６と同様の部位の拡大断面図である。
【図９】さらに他の実施形態における図６と同様の部位の拡大断面図である。
【符号の説明】
【００３０】
１  遊技機
２  外枠
３  遊技盤
４  操作ハンドル
５  球貯留皿
６  主制御基板ユニット
７  スピーカ
８  副制御基板ユニット
９  払出制御基板ユニット
１０  ワンウェイネジ（封止部材）
１１  ネジ（締結部材）
１２、１２Ａ、１２Ｂ  封印シール
１３  ネジ
１４  ワッシャー
１５  ワッシャーカバー
１６  係合部材
３１  遊技領域
６０  主制御基板
６１  第１ケース
６２  第２ケース
６３  ベース
８０  副制御基板
９０  払出制御基板
１０１  くびれ部
６０１  集積回路
６０２  コネクタ
６１１  封止部
６１２  第１ケース側封印シール貼着部
６１３  締結孔
６２１  第２ケース側封印シール貼着部
６２２  取付孔
６２３  係合爪
６３１  封止孔
６３４  切り欠き孔
６３５  封止固定片
【図１】
0005208536.tif 000002
【図２】
0005208536.tif 000003
【図３】
0005208536.tif 000004
【図４】
0005208536.tif 000005
【図５】
0005208536.tif 000006
【図６】
0005208536.tif 000007
【図７】
0005208536.tif 000008
【図８】
0005208536.tif 000009
【図９】
0005208536.tif 000010